(57)【特許請求の範囲】
【請求項１】
筒状をしたアダプタ本体の前端側にフイルタ取り付け部、後端側にレンズ鏡筒への装着部が設けられたフイルタアダプタにおいて、
アダプタ本体の周面に、アダプタ本体の後端側から前記フイルタ取り付け部で保持されたフイルタを透視できるようにした透光窓を設けたことを特徴とするフイルタアダプタ。
【請求項２】
フイルタ取り付け部の外径は前記装着部の外径よりも大径であり、前記透光窓は外径が異なる両者間を連絡する周面に設けられていることを特徴とする請求項１記載のフイルタアダプタ。
【請求項３】
前記透光窓は、光軸を中心とする回転対称な位置に複数個設けられていることを特徴とする請求項１又は２記載のフイルタアダプタ。
【発明の詳細な説明】
【０００１】
【発明の属する技術分野】
本発明は、カメラの撮影レンズ用のフイルタを保持するフイルタアダプタに関するものである。
【０００２】
【従来の技術】
被写体の一部の反射光を除くために、撮影レンズの前面に偏光フイルタを取り付けることが知られている。偏光フイルタは、進行方向に直交するあらゆる方向に振動している光のうち、金属以外の滑らかな物体面に光が当たり、一方向に偏って振動する偏光だけを透過させるフイルタであり、青空、山肌、水面、木の葉、花、路面、ガラスなどの反射光の除去に使用される。偏光フイルタは撮影レンズの前面で回転自在に保持され、撮影者は偏光フイルタを回転させることにより偏光フイルタを透過する偏光量を調節し、撮影状況や撮影イメージに合った撮影を行うことができる。
【０００３】
【発明が解決しようとする課題】
しかしながら、一眼レフカメラなどのＴＴＬ方式のファインダを備えたカメラでは、撮影レンズに偏光フイルタを取り付けた状態で、撮影者はファインダを覗き込みながら偏光フイルタを回転させて透過する偏光量の調節を行うことができるが、ＴＴＬ方式以外のファインダを備えたカメラでは、撮影者は撮影前に偏光フイルタを撮影方向に向けて回転させることにより撮影レンズへの取付位置を決定し、この取付位置を記憶して、撮影レンズへの取り付け及び位置の調整を行う必要がある。この場合、記憶に基づいて、取付位置を調整しなければならないので、撮影レンズへの取り付け前に決定した取付位置と一致させるのが難しく、撮影状況や撮影イメージに合った撮影を行うことが困難である。
【０００４】
本発明は、ＴＴＬ方式以外のファインダを備えたカメラにおいて、ファインダを覗きながら、レンズ用フイルタの効果を確認できるようにしたフイルタアダプタを提供することを目的とする。
【０００５】
【課題を解決するための手段】
上記目的を達成するために、本発明のフイルタアダプタは、筒状をしたアダプタ本体の前端側にフイルタ取り付け部、後端側にレンズ鏡筒への装着部が設けられたフイルタアダプタにおいて、アダプタ本体の周面に、アダプタ本体の後端側から前記フイルタ取り付け部で保持されたフイルタを透視できるようにした透光窓を設けたものである。なお、フイルタ取り付け部の外径は前記装着部の外径よりも大径であり、前記透光窓は外径が異なる両者間を連絡する周面に設けられていることが好ましい。また、前記透光窓は、光軸を中心とする回転対称な位置に複数個設けられていることが好ましい。
【０００６】
【発明の実施の形態】
図１は、本発明を実施したカメラの背面側を示す外観斜視図である。カメラ１０は、写真フイルムパトローネが装填されるカメラ本体１１と、このカメラ本体１１に着脱自在に取り付けられる撮影レンズ１２及び外付けのファインダ１３とから構成されている。また、撮影レンズ１２にはフイルタアダプタ１４が着脱自在に取り付けられ、フイルタアダプタ１４には偏光フイルタ１５が着脱自在に取り付けられている。なお、このカメラ１０は、カメラ本体１１のコストダウンと、様々な焦点距離の撮影レンズ１２への対応とを容易にするために、カメラ本体１１にファインダを内蔵せずに外付けのファインダ１３を使用するようになっている。
【０００７】
カメラ本体１１の背面側には、写真フイルムパトローネが装填されるパトローネ室と、撮影済みの写真フイルムが巻き取られるフイルム巻き取り室と、写真フイルムへの撮影範囲を規定するアパーチャーとが設けられており、これらはカメラ本体１１の背面に取り付けられた裏蓋１８によって開閉される。
【０００８】
カメラ本体１１の上面右肩部には、シャッタボタン１９と、撮影済みの写真フイルムをフイルムロール室に巻き上げる巻き上げレバー２０と、シャッタ速度の設定を行うシャッタ速度設定ダイヤル２１とが設けられている。
【０００９】
カメラ本体１１の上面左肩部には、撮影済みの写真フイルムをパトローネ内に巻き戻すフイルム巻き戻しレバー２２と、装填された写真フイルムの感度の設定を行うフイルム感度設定ダイヤル２３とが設けられている。フイルム感度設定ダイヤル２３は、フイルム巻き戻しレバー２２の外周で回転するように設けられている。
【００１０】
カメラ本体１１の上面中央部には、ストロボ装置やファインダ等の撮影部品が装着されるアクセサリーシュー２４が設けられている。ファインダ１３には取付部１３ａが設けられ、この取付部１３ａがアクセサリーシュー２４に取り付けられることにより、ファインダ１３はカメラ本体１１に取り付けられる。
【００１１】
カメラ本体１１の前面には、レンズマウント２５（図３参照）が設けられており、このレンズマウント２５に撮影レンズ１２が取り付けられる。また、撮影レンズ１２の鏡筒部先端にはその内周面にネジ１２ａ（図３参照）が形成され、フイルタアダプタ１４が取り付けられる。
【００１２】
図２及び図３に示すように、フイルタアダプタ１４には撮影レンズ１２への装着部となるネジ１４ａが設けられている。ネジ１４ａはフイルタアダプタ１４の後端部の外周面に形成され、撮影レンズ１２のネジ１２ａとネジ１４ａとの螺合により、撮影レンズ１２にフイルタアダプタ１４が取り付けられ、固定される。また、フイルタアダプタ１４の内周面にはネジ１４ｂが形成され、偏光フイルタ１５の取り付け部となっている。なお、撮影レンズ１２への装着部となるネジ部１４ａの外径よりも、偏光フイルタ１５の取り付け部となるネジ１４ｂの外径のほうが大径となっている。
【００１３】
偏光フイルタ１５はフイルタプレート１６と保持リング１７とから構成されている。保持リング１７には取り付け部１７ａと調整部１７ｂとが設けられ、取り付け部１７ａの後端部の外周面に形成されたネジ１７ｃが、フイルタアダプタ１４のネジ１４ｂと螺合する。これにより、偏光フイルタ１５がフイルタアダプタ１４に取り付けられる。また、調整部１７ｂは回転自在に設けられており、調整部１７ｂを回転させると、フイルタプレート１６が一体に回転して、偏光量の調整を行うことができる。
【００１４】
また、フイルタアダプタ１４のネジ１４ａとネジ１４ｂを連絡する周面でその背面側には透光窓１４ｃが光軸中心の回転対称となる３箇所に設けられている。これにより、図４に示すように、フイルタアダプタ１４の装着位置が回転方向でずれていてもいずれかの透光窓１４ｃをファインダ１３から観察することができる。よって、撮影者がファインダ１３を覗き込むと透光窓１４ｃを通して、フイルタプレート１６を透視できるため、撮影者はファインダ１３を覗き込みながら保持リング１７の調整部１７ｂを回転させることにより、撮影状況や撮影イメージに合わせてフイルタプレート１６を透過する偏光量を調整できる。なお、透光窓１４ｃを例えば透明なプラスチックなどで覆うことにより、外部からのゴミや異物の侵入を防止するようにしてもよい。また、透光窓１４ｃは３箇所に限らず適宜数設けてよい。
【００１５】
次に、上記実施形態の作用について説明する。撮影者は撮影レンズ１２を撮影方向に向け、ファインダ１３を通してフレーミング及びフイルタプレート１６を透過する偏光量の調整を行う。偏光量の調整は、透光窓１４ｃを通してフイルタプレート１６を透視しながら、撮影状況や撮影イメージに合った偏光量が得られるまで保持リング１７の調整部１７ｂを回転させて行う。このため、ファインダ１３を覗き込みながら偏光量の調整を行うことができるため、偏光フイルタ１５の取付位置を記憶しなくても、簡単に偏光量の調整を行うことができる。
【００１６】
シャッタボタン１９が押圧されると、撮影レンズ１２にはフイルタプレート１６を通過した被写体光が入射する。このとき、撮影レンズ１２には撮影前に調整した光量の偏光が入射するので、撮影者の意図した通りの撮影を行うことができる。
【００１７】
なお、上記実施形態では、フイルタアダプタ１４の背面側に透光窓１４ｃを設けたが、フイルタアダプタの形状を工夫することにより、フード効果が得られるようにしたフイルタアダプタの外周面に透光窓を設けてもよい。
【００１８】
上記実施形態では、フイルタアダプタ１４に偏光フイルタ１５を取り付けたが、他の種類のフイルタ、例えばカラーフイルタなどを取り付けてもよい。この場合には、フレーミング時にフイルタの色を確認することができる。また、クロススクリーンを用いてもよく、この場合には、フレーミング時に溝の方向を確認することができる。
【００１９】
また、上記実施形態では、撮影レンズユニット１２のネジ１２ａとフイルタアダプタ１４のネジ１４ａとを螺合させることにより、撮影レンズ１２にフイルタアダプタ１４を取り付けたが、バヨネット式やかぶせ式によりこれらの取り付けを行ってもよい。
【００２０】
【発明の効果】
以上のように、本発明のフイルタアダプタによれば、アダプタ本体の周面に、アダプタ本体の後端側から前記フイルタ取り付け部で保持されたフイルタを透視できるようにした透光窓を設けたので、記憶に頼ることなく簡単な構成で確実に偏光量の調整を行うことができる。よって、撮影者は、撮影状況や撮影イメージに合った撮影を行うことが可能になる。
【００２１】
また、フイルタ取り付け部の外径は前記装着部の外径よりも大径であり、前記透光窓は外径が異なる両者間を連絡する周面に設けられているので、簡単な構成で、撮影者はファインダから透光窓を観察することができる。さらに、前記透光窓は、光軸を中心とする回転対称な位置に複数個設けられているので、フイルタアダプタの取り付け位置に関わらず、確実にファインダから透光窓を観察できる。よって、撮影者はファインダを覗きながらの偏光量の調整が可能になる。
【図面の簡単な説明】
【図１】本発明を実施したカメラの外観斜視図である。
【図２】偏光フイルタ及びフイルタアダプタの構成を示す説明図である。
【図３】偏光フイルタ及びフイルタアダプタをカメラに取り付けたときの断面図である。
【図４】ファインダから観察できる透光窓を示す説明図である。
【符号の説明】
１０  カメラ
１３  ファインダ
１４，２６  フイルタアダプタ
１４ｃ，２６ａ  透光窓
１５  偏光フイルタ
【図１】
0004390168.tif 000002
【図２】
0004390168.tif 000003
【図３】
0004390168.tif 000004
【図４】
0004390168.tif 000005